(57)【要約】【課題】音声再生モードと使用電池の特性に対応して電池の動作寿命限度まで使用可能な電子カメラを提供する。【解決手段】システムの停止なしに、音声ＣＯＤＥＣ２６に選択した再生モードでの音声再生を実行可能な電源閾値電圧Ｖｓｈを、電池１２の内部抵抗をｒｘ、選択された音声再生モードのシステム電圧をＶｈｘ、負荷電流をＩｓｘとして、Ｖｓｈ＝Ｖｈｘ＋Ｉｓｘ・ｒｘによりマイコン３３で演算し、ＡＳＩＣ２９により、電池１２を用いる電源の電圧がＶｓｈ以上であることが、選択した再生モードの電子カメラの安定動作条件として設定され、電源電圧が電源閾値電圧Ｖｓｈに達しないと、選択再生モードでの音声再生動作が禁止され、使用電池１２の種類に応じた経年電圧変化に適確に対応して、実行可能な再生モードの音声再生動作が実行され、電池１２を寿命限度まで有効に使用して快適でスムーズなカメラ動作が実行可能になる。【選択図】        図１
2004166119.tif 000002
【特許請求の範囲】
【請求項１】
被写体の撮影記録と記録された被写体画像の再生を行なう撮影・再生手段と、音声を記録し複数の再生モードでの再生を行なう音声記録・再生手段と、複数種の電池から選択された使用電池を電源として電源供給を行なう電源供給手段とを備えた電子カメラであり、
前記音声記録・再生手段の再生モードを選択設定する再生モード設定手段と、
該再生モード設定手段により設定される再生モードに対応して、予め設定される前記電源供給手段の基準閾値電圧に基づき、前記再生モード設定手段により設定される再生モードでの前記音声記録・再生手段による音声再生の実行認可の判定を行なう音声再生判定手段と、
該音声再生判定手段の判定結果に基づいて、前記音声記録・再生手段の再生動作の実行を制御する再生制御手段と
を有することを特徴とする電子カメラ。
【請求項２】
音声記録・再生手段がＡＧＣ機能を備え、音声再生判定手段が、再生モード設定手段により設定される再生モードに対応して、予め設定される前記ＡＧＣ機能の基準閾値電圧に基づき、前記ＡＧＣ機能の作動認可を判定し、再生制御手段が、前記音声再生判定手段による前記ＡＧＣ機能の作動認可の判定結果に基づいて、前記音声記録・再生手段の再生動作の実行を制御することを特徴とする請求項１記載の電子カメラ。
【請求項３】
電源供給手段、またはＡＧＣ機能の基準閾値電圧が、使用電池の種類により予め設定されることを特徴とする請求項１または請求項２記載の電子カメラ。
【請求項４】
電源供給手段、またはＡＧＣ機能の基準閾値電圧が、前記電源供給手段の消費電流により予め設定されることを特徴とする請求項１または請求項２記載の電子カメラ。
【請求項５】
音声再生判定手段の駆動と動作停止がを選択自在であることを特徴とする請求項１または請求項２記載の電子カメラ。
【発明の詳細な説明】
【０００１】
【発明の属する技術分野】
本発明は電子カメラ、特に音声再生機能を備えた電子カメラに関する。
【０００２】
【従来の技術】
近年各分野に使用されている電子カメラは、携帯に便利なように小型化され、電源としては主に電池が使用されており、被写体の撮影・再生機能と共に音声記録・再生機能をも備えたものも普及している。
このような電子カメラでは、全体の小型化に伴って使用電池も小型のものが必要になり、一次電池としてはアルカリ電池などが、二次電池としては  ニッケル  水素電池やリチウム  イオン電池などが使用されているが、長時間にわたって撮  影・再生機能と音声記録・再生機能とを正常に作動させるためには、電池の残容量を監視して、電池を交換し或いは充電することが必要になる。
このために、電池の残容量が被写体の撮影動作に必要な最低電力に近い値まで減少すると、警報を発してオペレータに電池交換或いは充電を指令し、電池の残容量が該最低電力を下回ると撮影動作を禁止する電子カメラが一般に使用されている。
【０００３】
この種の電子カメラの一例として、電池の残容量が第１の所定値を下回ると撮影機能を停止し、電池の残容量が第１の所定値より小さい第２の所定値を下回ると、音声再生機能を停止する制御を行なう電子カメラが知らされている（下記特許文献１参照）。この電子カメラによると、電池を有効に使用してカメラを駆動させることができる。
【０００４】
ところで、最近の電子カメラの再生機能は複雑化し、例えば、静止画とシャッタ音を同時再生する再生モード、音声ファイルの記録音声のみを再生する再生モード、撮影動画と記録音声を同時再生する再生モード、撮影動画、記録音声及びバックグランドミュージックを同時再生する再生モードなど各種の再生モードが選択可能な構成を取るものが多い。
一方では、電子カメラの電源は使用される電池の種類によって、電力容量や内部抵抗に差があり、再生モードによって異なる消費電流に対応する内部消費電力にもそれぞれ差がある。
【０００５】
従って、この種の電子カメラでは、選択される再生モードと使用電池の種類とに対応して、電池を動作寿命限度まで使用して、快適でスムーズなカメラ動作が行なわれることが望ましい。
しかし、上記特許文献１に開示の電子カメラには、選択された再生モードと使用される電池の種類とに対応して、電池を有効に使用してカメラ動作を行なわせるという技術的思想は開示されていない。
【０００６】
【特許文献１】
特開２００２−４４４９８号公報
【０００７】
【発明が解決しようとする課題】
本発明は、前述したようなこの種のカメラの動作の現状に鑑みてなされたものであり、その目的は、撮影・再生機能と音声記録・再生機能を備え、複数の再生モードを選択して使用する電子カメラにおいて、選択した再生モードと使用する電池の特性とに適確に対応して、カメラ動作を電池を動作寿命限度まで使用して実行可能な電子カメラを提供することにある。
【０００８】
【課題を解決するための手段】
前記目的を達成するために、請求項１記載の発明は、被写体の撮影記録と記録された被写体画像の再生を行なう撮影・再生手段と、音声を記録し複数の再生モードでの再生を行なう音声記録・再生手段と、複数種の電池から選択された使用電池を電源として電源供給を行なう電源供給手段とを備えた電子カメラであり、前記音声記録・再生手段の再生モードを選択設定する再生モード設定手段と、該再生モード設定手段により設定される再生モードに対応して、予め設定される前記電源供給手段の基準閾値電圧に基づき、前記再生モード設定手段により設定される再生モードでの前記音声記録・再生手段による音声再生の実行認可の判定を行なう音声再生判定手段と、該音声再生判定手段の判定結果に基づいて、前記音声記録・再生手段の再生動作の実行を制御する再生制御手段とを有することを特徴とするものである。
【０００９】
このような手段によると、複数種の電池から選択された使用電池を電源とする電源供給手段から電源が供給され、撮影・再生手段により、被写体の撮影・記録と記録された被写体画像の再生が行なわれ、音声記録・再生手段により、音声の記録と複数の再生モードでの音声再生が行なわれるが、再生モード設定手段により、音声記録・再生手段の再生モードが選択設定され、設定再生モードに対応して、予め設定される電源供給手段の基準閾値電圧に基づき、音声再生判定手段によって、再生モード設定手段により設定される再生モードでの音声記録・再生手段による音声再生の実行認可の判定が行なわれ、得られる判定結果に基づき、再生制御手段により、音声記録・再生手段の再生動作の実行が制御される。
このために、再生制御手段によって、設定再生モードでの音声再生動作の実行が、使用電池を電源とする電源供給手段の基準閾値電圧に基づく、音声再生判定手段の判定結果に応じて、認可され或いは禁止され、使用電池の種類に応じた経年電圧変化に適確に対応して、実行可能な再生モードを選択して音声再生動作が実行され、快適でスムーズなカメラ動作が、使用電池を寿命限度まで有効に使用して行なわれる。
【００１０】
同様に前記目的を達成するために、請求項２記載の発明は、請求項１記載の発明において、音声記録・再生手段がＡＧＣ機能を備え、音声再生判定手段が、再生モード設定手段により設定される再生モードに対応して、予め設定される前記ＡＧＣ機能の基準閾値電圧に基づき、前記ＡＧＣ機能の作動認可を判定し、再生制御手段が、前記音声再生判定手段による前記ＡＧＣ機能の作動認可の判定結果に基づいて、前記音声記録・再生手段の再生動作の実行を制御することを特徴とするものである。
【００１１】
このような手段によると、請求項１記載の発明の音声記録・再生手段がＡＧＣ機能を備えており、音声再生判定手段が、再生モード設定手段により設定される再生モードに対応して、予め設定されるＡＧＣ機能の基準閾値電圧に基づき、ＡＧＣ機能の作動認可を判定し、再生制御手段が、音声再生判定手段によるＡＧＣ機能の作動認可の判定結果に基づいて、音声記録・再生手段の再生動作の実行を制御することにより、請求項１記載の発明での作用が実行される。
【００１２】
同様に前記目的を達成するために、請求項３記載の発明は、請求項１または請求項２記載の発明において、電源供給手段、またはＡＧＣ機能の基準閾値電圧が、使用電池の種類により予め設定されることを特徴とするものである。
このような手段によると、電源供給手段、またはＡＧＣ機能の基準閾値電圧が、使用電池の種類により予め設定され、設定基準閾値電圧に基づく、音声再生判定手段の判定結果に応じて、設定再生モードでの音声再生動作の実行が認可され或いは禁止されることにより、請求項１または請求項２記載の発明での作用が実行される。
【００１３】
同様に前記目的を達成するために、請求項４記載の発明は、請求項１または請求項２記載の発明において、電源供給手段、またはＡＧＣ機能の基準閾値電圧が、前記電源供給手段の消費電流により予め設定されることを特徴とするものである。
このような手段によると、電源供給手段、またはＡＧＣ機能の基準閾値電圧が、電源供給手段の消費電流により予め設定され、設定基準閾値電圧に基づく、音声再生判定手段の判定結果に応じて、設定再生モードでの音声再生動作の実行が認可され或いは禁止されることにより、請求項１または請求項２記載の発明での作用が実行される。
【００１４】
同様に前記目的を達成するために、請求項５記載の発明は、請求項１または請求項２記載の発明において、音声再生判定手段の駆動と動作停止が選択自在であることを特徴とするものである。
このような手段によると、請求項１、または請求項２記載の発明での作用に加えて、音声再生判定手段の駆動と動作停止が選択自在なので、電池の電力供給容量やオペレータの電子カメラの使用目的に応じて、音声再生判定手段を駆動させ、或いは動作停止させることにより、適切なカメラ動作が行なわれる。
【００１５】
【発明の実施の形態】
［第１の実施の形態］
本発明の第１の実施の形態を、図１ないし図４を参照して説明する。
図１は本実施の形態の全体構成を示すブロック図、図２は本実施の形態に係る電子カメラ本体の正面説明図、図３は本実施の形態に係る電子カメラ本体の背面説明図、図４は本実施の形態の音声再生制御動作を示すフローチャートである。
【００１６】
本実施の形態の電子カメラでは、カメラ本体４０の前面には、図２に示すように、前面の上縁辺部のほぼ中央位置に被写体を確認するファインダ４３が配設され、このファインダ４３を挟んで、上縁辺部の一端側近傍には、光量不足時に被写体への照射光を発光するストロボ２８が、他端側近傍には、音声を取り込むマイクロホン２５がそれぞれ配設され、電子カメラ本体４０表面のほぼ中央位置には、光学レンズ１を備えた鏡胴４５が取り付けられ、鏡胴４５とファインダ４３間に、フラッシュの光量を調節するストロボ調光センサ４１が配設されている。
そして、電子カメラ本体４０の上面には、ストロボ２８の近傍に、撮影モードを選択するモードダイアル４４が、マイクロホン２５の近傍にレリーズ４２がそれぞれ配設されている。
【００１７】
また、カメラ本体４０の背面には、図３に示すように、背面の一側縁辺部に電池１２とＩＣカード、スマートカードなどの不揮発性メモリ１５の装着のための挿入口４６が設けられ、この挿入口４６の近傍において、背面のほぼ一半面を占有して、各種の画像の表示を行なうＬＣＤパネル２３が配設されており、ＬＣＤパネル２３の下方近傍には、音声出力を行なうスピーカ２４が配設されている。
そして、カメラ本体４０の背面の他の半面のほぼ中央位置に、上下左右方向を指示して情報入力を行なう上操作釦４７、下操作釦４８、左操作釦４９、右操作釦５０が設けられ、これらの釦の下方近傍に、実行処理、キャンセル処理、メニュー記憶処理を含む各種処理を組合せ操作により指示する操作釦５１〜５３が配設されている。
【００１８】
本実施の形態においては、図１に示すように、複数のレンズで構成され、これらのレンズがレンズモータ８により光軸方向に駆動され、被写体光像の結像を行なう光学レンズ１が設けられ、光学レンズ１の後段には、受光面に結像される被写体光像を光電変換し、撮像信号として出力する電子シャッタ機能を備えたＣＣＤ（Ｃｈａｒｇｅ  Ｃｏｕｐｌｅｄ  Ｄｅｖｉｃｅ；電荷結合素子）４が設けられている。このＣＣＤ４と光学レンズ１間には、シャッタモータ９により駆動され、予め設定されるシャッタスピードで、被写体光像の入射を行なうシャッタ２と、紫外線成分を遮断して折り返し歪みによる偽色やモアレの発生を防止するＬＰＦ３とが配設されている。
【００１９】
また、ＣＣＤ４の出力端子には、ＣＤＳ（Ｃｏｒｒｅｌａｔｅｄ  ｄｏｕｂｌｅ  ｓａｍｐｌｉｎｇ  ｃｉｒｃｕｉｔ；相関２重サンプリング回路）とＡＤ変換回路とを備え、撮像信号に雑音抑制を行ってＡＤ変換する信号処理回路７が接続され、信号処理回路７には、信号処理回路７でＡＤ変換された撮像信号に対して、再生と記録の全動作にわたる制御を行なうＣＰＵ機能を備えたＡＳＩＣ（Ａｐｐｌｉｃａｔｉｏｎ  Ｓｐｅｃｉｆｉｃ  Ｉｎｔｅｇｒａｔｉｏｎ  Ｃｉｒｃｕｉｔ）２９が接続されている。
【００２０】
このＡＳＩＣ２９には、撮像信号に対してホワイトバランス処理、エッジ強調処理、及びＪＰＥＧ（Ｊｏｉｎｔ  Ｐｈｏｔｏｇｒａｐｈｉｃ  ＥｘｐｅｒｔｓＧｒｏｕｐｅ）規格のデータ圧縮・伸長を行なうイメージプロセッサ３０、各種の制御演算を行なうマイコン３３、各種のインタフェース動作を行なうインタフェース３４、制御動作時にＡＤ変換やＤＡ変換を行なうＡＤ・ＤＡ変換器３１、及び撮像データを、例えばＮＴＳＣ方式の画像信号に変換するビデオエンコーダ３２が設けられている。
【００２１】
また、ＡＳＩＣ２９には、図２及び図２で説明した各種の操作釦や操作ダイヤルを備え、動作条件が設定される操作部１４、制御プログラム及び制御に必要なデータが格納されたフラッシュメモリ１７、制御動作時に各種データの書込と読出が行なわれるＳＤＲＡＭ（Ｓｙｎｃｈｒｏｎｏｕｓ  ＤＲＡＭ）１６、及び表示画像変換と出力を行なうＬＣＤドライバ２２が接続され、ＬＣＤドライバ２２には、各種の画像表示を行なうＬＣＤパネル２３が接続されている。
同様に、ＡＳＩＣ２９には、ビデオエンコーダ３２の出力信号を増幅して出力するビデオアンプ２０が接続され、ビデオアンプ２０には、外部テレビなどへの接続を行なうＡＶ（Ａｕｄｉｏ  Ｖｉｓｕａｌ）Ｊａｃｋ２１が接続され、さらに、ＡＳＩＣ２９には、画像データを差動信号に変換するＵＳＢ（Ｕｎｉｖｅｒｓａｌ  Ｓｅｒｉａｌ  Ｂｕｓ）ドライバ１８が接続され、ＵＳＢドライバ１８には、ＵＳＢコネクタ１９が接続され、ケーブルを介して外部のパソコンに接続可能になっている。
【００２２】
また、ＡＳＩＣ２９には、ストロボ２８に接続されストロボ２８の発光を駆動するストロボ回路２７と、マイクロホン２５及びスピーカ２４に接続され、マイクアンプ、スピーカアンプ、ＡＤ変換器、ＤＡ変換器、符号化・復号化回路を備え、音声信号の符号化・復号化を行なう音声ＣＯＤＥＣ（ＣＯｄｅｒ−ＤＥｃｏｄｅｒ）２６が接続され、さらに、不揮発性メモリ１５が着脱自在に接続されている。
同様に、にＡＳＩＣ２９には、レンズモータ８とシャッタモータ９とに接続され、レンズモータ８とシャッタモータ９をそれぞれ駆動するモータドライバ１０と、ＤＣ−ＤＣコンパレータ１３とが接続され、ＤＣ−ＤＣコンパレータ１３には、ＡＣアダプタに接続自在なＤＣ  ＪＡＣＫ１１が接続され、さらに、各種の  電池１２が着脱自在に接続されている。さらに、ＡＳＩＣ  ２９  には、ＣＣＤ駆動ドライバ５と信号処理回路７にタイミング信号を出力するタイミングジェネレータ６が接続されている。
【００２３】
ところで、本実施の形態では、再生モードとして、静止画とシャッタ音を同時再生する第１の再生モード、音声ファイルの記録音声のみを再生する第２の再生モード、撮影動画と記録音声を同時再生する第３の再生モード、撮影動画、記録音声及びバックグランドミュージックを同時再生する第４の再生モードが選択可能であり、フラッシュメモリ１７には、再生モードの実行に必要な消費電流Ｉｓｘ（ｘ＝１〜４）が各再生モードに対応付けて格納されている。
一方、電池１２として例えばリチウムイオン電池などの二次電池を使用した場合と、アルカリ単三電池などの一次電池を使用した場合では内部抵抗が異なり、同一の消費電流Ｉｓを供給した場合の電圧降下Ｖｄが異なるので、二次電池の内部抵抗ｒ１と一次電池の内部抵抗ｒ２が、フラッシュメモリ１７に格納され、さらに、再生モードごとに異なるシステム維持電圧Ｖｈｘ（ｘ＝１〜４）が、フラッシュメモリ１７に再生モードに対応付けて格納されている。
【００２４】
さらに、本実施の形態では、ＡＳＩＣ２９に、電池１２の種類と選択された再生モードとに基づいて、電源電圧が音声ＣＯＤＥＣ２６を作動させる基準閾値を満足するか否かを判定する音声再生判定手段と、音声再生判定手段の判定結果に基づき、音声ＣＯＤＥＣ２６の再生動作の実行を制御する再生制御手段とが設けられている。
【００２５】
このような構成の本実施の形態の動作を説明する。
オペレータが操作部１４から、モードダイアル４４でセットアップモードを選択し、ＬＣＤパネル２３に表示されるメニューを選択設定して各種の撮影情報を設定することにより、設定される撮影情報に基づいて、ＡＳＩＣ２９の制御によって、フラッシュメモリ１７から読み出される制御プログラムに基づいて撮影動作が開始される。
撮影動作が開始されると、被写体光像は、シャッタモータ９で駆動されるシャッタ２で光量が制御され、ＬＰＦ３で紫外線が遮断された状態で、光学レンズ１によって、ＣＣＤ４の受光面に結像され、ＣＣＤ４にマトリクス状に配列されているホトダイオードに入射される。そして、タイミングジェネレータ６からのタイミング信号により駆動するＣＣＤ駆動ドライバ５の電子シャッタ動作によって、蓄積時間が制御された状態でホトダイオードに蓄積される。
この場合、被写体光像の光量が不足していると、ＡＳＩＣ２９の制御によって作動するストロボ回路２７によって、ストロボ２８が発光し、適性光量での撮影が行なわれる。
【００２６】
ＣＣＤ４の各ホトダイオードに対応して、ＲＧＢ各色の色分解フィルタが配設されており、被写体光像が対応する色分解フィルタの色の光信号としてＣＣＤ４に蓄積され光電変換されて、ＣＣＤ４からは被写体のカラーの撮像信号が出力される。
この撮像信号は信号処理回路７に入力され、信号処理回路７では、撮像信号に対して、相関２重サンプリングによる低雑音化処理化が施された後にＡＤ変換され、信号処理回路７からは、ディジタル化されたＲＧＢ信号がＡＳＩＣ２９に入力され一旦ＳＤＲＡＭ１６に格納される。
一方、マイクロホン２５からの音声信号は、音声ＣＯＤＥＣ２６により、ＡＤ変換と符号化処理が行なわれ、ＡＳＩＣ２９の制御によって一旦ＳＤＲＡＭ１６に格納される。
【００２７】
撮影画像のＬＣＤパネル２３への表示動作時には、ＡＳＩＣ２９の制御によって、ＳＤＲＡＭ１６から読み出されたＲＧＢ信号が、イメージプロセッサ３０によりガンマ補正、ホワイトバランス、エッジ処理が施され、ビデオエンコーダ３２において、色信号と輝度信号とに分離され、得られる色信号及び輝度信号に基づいて、例えばＮＴＳＣデータが作成され、ＡＤ・ＤＡ変換器でＤＡ変換され、ＬＣＤドライバ２２を介してＬＣＤパネル２３に入力され撮影画像がＬＣＤパネル２３に表示される。
この場合、ＡＳＩＣ２９の制御によって、オペレータが選択した再生モードに基づき、フラッシュメモリ１７から、対応する音声信号が読み出され、音声ＣＯＤＥＣ２６で復号化処理されて、スピーカ２４から対応する音声が出力される。
なお、イメージプロセッサ３０での各信号処理が行なわれ、ビデオエンコーダ３２でＮＴＳＣデータに変換された画像データを、ビデオアンプ２０及びＡＶＪａｃｋ２１を介して外部ＴＶに送信したり、ＵＳＢドライバ１８で差動信号に変換して、ＵＳＢコネクタ１９を介して外部のパソコンに送信するすることも可能である。
【００２８】
また、撮影画像データを不揮発性メモリ１５に記録する場合には、ＡＳＩＣ２９の制御によって、ＳＤＲＡＭ１６から読み出されるＲＧＢ信号が、イメージプロセッサ３０で、ガンマ補正、ホワイトバランス、エッジ処理が施され、ビデオエンコーダ３２で、色信号と輝度信号への分離に基づき、例えばＮＴＳＣ信号が作成され、さらにイメージプロセッサ３０により、直交変換やハフマン符号化に基づき、ＪＰＥＧ方式での圧縮処理が施された後に、不揮発性メモリ１５に格納される。
この場合、ＡＳＩＣ２９の制御によって、オペレータが選択した再生モードに基づき、フラッシュメモリ１７から対応する音声信号が読み出され、イメージプロセッサ３０により、同様にしてＪＰＥＧ方式での圧縮処理が施され不揮発性メモリ１５に格納される。
【００２９】
また、不揮発性メモリ１５から記録データの再生を行なう場合には、ＡＳＩＣ２９の制御によって読み出される記録データは、イメージプロセッサ３０でＪＰＥＧ方式の伸長処理が施された後に、画像データはＬＤＣドライバ２２を介してＬＣＤパネル２３に入力されて、被写体画像がＬＣＤパネル２３に表示され、音声データは音声ＣＯＤＥＣ２６で復号化され、スピーカ２４から対応する音声が出力される。
【００３０】
ところで、本実施の形態では、再生動作が行なわれる場合には、電源を構成する電池１２の電圧に基づいて、選択された再生モードの実行を判定して音声再生制御動作が行なわれる。
この音声再生制御動作を、図４のフローチャートに基づいて説明する。
図４のフローチャートのステップＳ１において、操作部１４から入力される撮影情報に基づいて、ＡＳＩＣ２９によってスピーカ２４からの再生音出力の指令が行なわれたか否かの判定が行なわれ、再生音出力指令が確認されると、ステップＳ２に進んで、音声ＣＯＤＥＣ２６を駆動する音声再生指令が設定されているか否かが判定され、音声再生指令が設定されていないと動作を終了し、音声再生指令が設定されているとステップＳ３に進む。
ステップＳ３では、挿入口４６から電池１２が挿入装着されているか否かが、電池１２の電極に接触する内部電極間の電圧のマイコン３３を介しての検出で判定される。この場合、ＤＣジャック１１にケーブルが接続されていると、マイコン３３を介して、ケーブル挿入による電圧が検出されるので、室内のＡＣ電源から電源供給が行なわれると判定して処理を終了し、電池１２の挿入装着が検出されるとステップＳ４に進む。
ステップＳ４では、電池１２が一次電池か二次電池かにより異なる位置に配置された内部電極間の電圧が、マイコン３３を介して検出されることにより、挿入装着されている電池１２が一次電池か二次電池かの判定が行なわれる。
【００３１】
次いで、ステップＳ５に進んで、選択された再生モードに対応する動作許容閾値電圧Ｖｓｈの演算設定が行なわれる。
この場合、静止画とシャッタ音を同時再生する第１の再生モード、音声ファイルの記録音声のみを再生する第２の再生モード、撮影動画と記録音声を同時再生する第３の再生モード、撮影動画、記録音声及びバックグランドミュージックを同時再生する第４の再生モードから選択設定された再生モードの実行に必要な消費電流Ｉｓｘが、フラッシュメモリ１７から読み出される。
さらに、ステップＳ４で判定された電池１２の種類に対応する内部抵抗値ｒｘと、選択した再生モードに対応するシステム維持電圧Ｖｈｘとがフラッシュメモリ１７から読み出される。
【００３２】
そして、ＡＳＩＣ２９の制御によって、マイコン３３によって、選択された再生モードに対応して、システムを停止させずに、音声ＣＯＤＥＣ２６に正常な再生モードの動作が実行可能な電源閾値電圧Ｖｓｈが、Ｖｓｈ＝Ｖｈｘ＋Ｉｓｘ・ｒｘとして演算され、電源電圧がＶｓｈを越えることが、選択された再生モードで電子カメラを安定に動作させる条件として設定される。
次いで、ステップＳ６に進んで、ＡＳＩＣ２９によって、電源電圧が電源閾値電圧Ｖｓｈ以上であるか否かが判定され、電源電圧が電源閾値電圧Ｖｓｈに達していないと判定されると、ステップＳ７に進んで、選択された再生モードでの音声再生動作は禁止される。
この場合、選択された音声再生動作の禁止の表示がＬＣＤパネル２３に表示されるので、オペレータはより消費電力の小さい再生モードを選択して、その再生モードでの音声再生を行なうことも可能である。
【００３３】
このように本実施の形態によると、複数の再生モードから選択した再生モードでの音声再生を、システムを停止させずに、音声ＣＯＤＥＣ２６に正常に実行させることが可能な電源閾値電圧Ｖｓｈが、Ｖｓｈ＝Ｖｈｘ＋Ｉｓｘ・ｒｘとして演算され、電源電圧がＶｓｈを越えることが、選択された再生モードで電子カメラの安定動作条件として設定され、ＡＳＩＣ２９の制御によって、電源電圧が電源閾値電圧Ｖｓｈに達していないと判定されると、選択された再生モードでの音声再生動作は禁止され、使用電池１２の種類に応じた経年電圧変化に適確に対応して、実行可能な音声再生モードを選択して音声再生動作が実行可能となり、使用電池１２を寿命限度まで有効に使用して、快適でスムーズなカメラ動作が実行可能になる。
【００３４】
［第２の実施の形態］
本発明の第２の実施の形態を図５を参照して説明する。
図５は本実施の形態の音声再生制御動作を示すフローチャートである。
【００３５】
本実施の形態では、すでに説明した第１の実施の形態に対して、図１を流用して説明すると、音声ＣＯＤＥＣ２６がＡＧＣ機能を有しており、ＡＳＩＣ２９には、電池１２の種類と選択された再生モードとに基づいて、電源電圧がＡＧＣ機能を作動させる基準閾値を満足するか否かを判定する音声再生判定手段と、音響再生判定手段の判定結果に基づき、ＡＧＣ機能の作動を介して音声ＣＯＤＥＣ２６の再生動作の実行を制御する再生制御手段とが設けられている。
本実施の形態のその他の部分の構成は、すでに説明した第１の実施の形態と同一なので、重複する説明は行なわない。
【００３６】
本実施の形態の動作を、図５のフローチャートに基づいて説明する。
図５のフローチャートのステップＳ１１、ステップＳ１３、ステップＳ１４の動作は、すでに説明した図４のフローチャートのステップＳ１、ステップＳ３、ステップＳ４の動作とそれぞれ同一である。
本実施の形態では、ステップＳ１２において、音声ＣＯＤＥＣ２６のＡＧＣ機能を駆動する音声再生指令が設定されているか否かが判定され、音声再生指令が設定されていないと動作を終了し、音声再生指令が設定されているとステップＳ１３で、電池１２の挿入装着が確認され、ステップＳ１４で電池１２の種類の判別が行なわれる。
【００３７】
次いで、ステップＳ１５に進んで、選択された再生モードに対応するＡＧＣ機能の動作許容閾値電圧Ｖｓｈａの演算設定が行なわれる。
この場合、先ず、静止画とシャッタ音を同時再生する第１の再生モード、音声ファイルの記録音声のみを再生する第２の再生モード、撮影動画と記録音声を同時再生する第３の再生モード、撮影動画、記録音声及びバックグランドミュージックを同時再生する第４の再生モードから選択設定された再生モードの実行に必要な消費電流Ｉｓｘａが、フラッシュメモリ１７から読み出される。
さらに、ステップＳ１４で判定された電池１２の種類に対応する内部抵抗値ｒｘと、選択した再生モードに対応するシステム維持電圧Ｖｈｘａとがフラッシュメモリ１７から読み出される。
【００３８】
そして、ＡＳＩＣ２９の制御によって、マイコン３３によって、選択された再生モードに対応して、システムを停止させずにＡＧＣ機能を作動させ、音声ＣＯＤＥＣ２６に正常な再生モードを実行させることが可能な電源閾値電圧Ｖｓｈａが、Ｖｓｈａ＝Ｖｈｘａ＋Ｉｓｘａ・ｒｘとして演算され、電源電圧がＶｓｈａを越えることが、選択された再生モードで電子カメラを安定に動作させる条件として設定される。
次いで、ステップＳ１６に進んで、ＡＳＩＣ２９によって、電源電圧が電源閾値電圧Ｖｓｈａ以上であるか否かが判定され、電源電圧が電源閾値電圧Ｖｓｈａに達していないと判定されると、ステップＳ１７に進んで、選択された再生モードでの音声再生動作は禁止される。
【００３９】
このようにして、本実施の形態によると、複数の再生モードから選択された再生モードに対して、システムを停止させずに、ＡＧＣを作動させて音声ＣＯＤＥＣ２６により、正常な音声再生が実行可能な電源閾値電圧Ｖｓｈａが、Ｖｓｈａ＝Ｖｈｘａ＋Ｉｓｘａ・ｒｘとして演算され、電源電圧がＶｓｈａを越えることが、選択された再生モードで電子カメラを安定動作させる条件として設定され、ＡＳＩＣ２９の制御によって、電源電圧が電源閾値電圧Ｖｓｈａに達していないと判定されると、選択された再生モードでの音声再生動作は禁止されるので、使用電池１２の種類に応じた経年電圧変化に適確に対応して、実行可能な再生モードを選択して音声再生動作が実行可能となり、使用電池１２を寿命限度まで有効に使用して、快適でスムーズなカメラ動作が実行可能になる。
【００４０】
【発明の効果】
請求項１記載の発明に係る電子カメラでは、複数種の電池から選択された使用電池を電源とする電源供給手段から電源が供給され、撮影・再生手段によって、被写体の撮影・記録と記録された被写体画像の再生が行なわれ、音声記録・再生手段によって、音声の記録と複数の再生モードでの音声再生が行なわれるが、再生モード設定手段によって、音声記録・再生手段の再生モードが選択設定され、設定再生モードに対応して、予め設定される電源供給手段の基準閾値電圧に基づいて、音声再生判定手段によって、再生モード設定手段により設定される再生モードでの音声記録・再生手段による音声再生の実行認可の判定が行なわれ、得られる判定結果に基づいて、再生制御手段によって、音声記録・再生手段の再生動作の実行が制御される。
このために、再生制御手段によって、設定再生モードでの音声再生動作の実行が、使用電池を電源とする電源供給手段の基準閾値電圧に基づく、音声再生判定手段の判定結果に応じて認可され或いは禁止され、使用電池の種類に応じた経年電圧変化に適確に対応して、実行可能な再生モードを選択して音声再生動作が実行可能となるので、快適でスムーズなカメラ動作を、使用電池を寿命限度まで有効に使用して行なうことが可能になる。
【００４１】
請求項２記載の発明によると、請求項１記載の発明において、音声記録・再生手段がＡＧＣ機能を備えており、音声再生判定手段が、再生モード設定手段により設定される再生モードに対応して、予め設定されるＡＧＣ機能の基準閾値電圧に基づき、ＡＧＣ機能の作動認可を判定し、再生制御手段が、音声再生判定手段によるＡＧＣ機能の作動認可の判定結果に基づいて、音声記録・再生手段の再生動作の実行を制御することにより、請求項１記載の発明で得られる効果を実現することが可能になる。
【００４２】
請求項３記載の発明によると、電源供給手段、またはＡＧＣ機能の基準閾値電圧が、使用電池の種類により予め設定され、設定基準閾値電圧に基づく音声再生判定手段の判定結果に応じて、設定再生モードでの音声再生動作の実行が認可され或いは禁止されることにより、請求項１または請求項２記載の発明で得られる効果を実現することが可能になる。
【００４３】
請求項４記載の発明によると、電源供給手段、またはＡＧＣ機能の基準値電圧が、電源供給手段の消費電流により予め設定され、設定基準閾値電圧に基づく、音声再生判定手段の判定結果に応じて、設定再生モードでの音声再生動作の実行が認可され或いは禁止されることにより、請求項１または請求項２記載の発明で得られる効果を実現することが可能になる。
【００４４】
請求項５記載の発明によると、請求項１、または請求項２記載の発明で得られる効果に加えて、音声再生判定手段の駆動と動作停止を選択することにより、電池の電力供給容量やオペレータの電子カメラの使用目的に応じて、音声再生判定手段を駆動し、或いは動作停止させることにより、適切なカメラ動作を行なわせることが可能になる。
【図面の簡単な説明】
【図１】本発明の第１の実施の形態の全体構成を示すブロック図である。
【図２】同実施の形態に係る電子カメラ本体の正面説明図である。
【図３】同実施の形態に係る電子カメラ本体の背面説明図である。
【図４】同実施の形態の音声再生制御動作を示すフローチャートである。
【図５】本発明の第２の実施の形態の音声再生制御動作を示すフローチャートである。
【符号の説明】
４  ＣＣＤ
７  信号処理回路
１２  電池
１４  操作部
１５  不揮発性メモリ
１６  ＳＤＲＡＭ
１７  フラッシュメモリ
２３  ＬＣＤパネル
２４  スピーカ
２６  音声ＣＯＤＥＣ
２９  ＡＳＩＣ
３０  イメージプロセッサ
３２  ビデオエンコーダ
３３  マイコン
【図１】
2004166119.tif 000003
【図２】
2004166119.tif 000004
【図３】
2004166119.tif 000005
【図４】
2004166119.tif 000006
【図５】
2004166119.tif 000007